(57)【特許請求の範囲】
【請求項１】
液透過性の肌当接面と、液不透過性の非肌当接面と、該肌当接面及び該非肌当接面の間に介在された吸収部とを備え、実質的に縦長に形成されてなる吸収性物品において、
吸収性物品の長手方向側方より応力を加えた際に、該吸収性物品をその幅方向において肌当接面側に屈曲させる第１可撓軸と、該吸収性物品をその幅方向において非肌当接面側に屈曲させる第２可撓軸とを有し、
上記第１可撓軸は、肌当接面側から溝加工されて形成された立体溝からなり、上記第２可撓軸は、非肌当接面側から溝加工されて形成された立体溝からなり、
上記第１可撓軸及び上記第２可撓軸には、溝加工が施される面の反対側にも溝が形成されており、上記立体溝の深さＤ1が上記溝の深さＤ2の１．５倍以上であり、
上記吸収部は、厚みが０．３〜５mmの熱可塑性繊維を含有する吸収シートを含んでなる、ことを特徴とする吸収性物品。
【請求項２】
上記第１可撓軸と上記第２可撓軸とを、それぞれ２本以上有することを特徴とする請求項１記載の吸収性物品。
【請求項３】
上記立体溝の深さＤ1が０．３〜５mmであり、上記溝の深さＤ2が０．２〜２mmである請求項１記載の吸収性物品。
【請求項４】
上記立体溝は、非連続に且つ複数形成されていることを特徴とする請求項１記載の吸収性物品。
【請求項５】
上記第１及び第２可撓軸は、２本づつ設けられており、２本の該第１可撓軸は、何れも、２本の第２可撓軸よりも外方に設けられていることを特徴とする請求項１記載の吸収性物品。
【請求項６】
液透過性の肌当接面と、液不透過性の非肌当接面と、該肌当接面及び該非肌当接面の間に介在された吸収部とを備え、実質的に縦長に形成されてなる吸収性物品において、
肌当接面側に形成された第１立体溝からなる第１可撓軸と、非肌当接面側に形成された第２立体溝からなる第２可撓軸とを有し、
上記第１可撓軸及び上記第２可撓軸には、溝加工が施される面の反対側にも溝が形成されており、上記立体溝の深さＤ1が上記溝の深さＤ2の１．５倍以上であり、
上記第２可撓軸は、吸収性物品の長手方向及び幅方向に向けて形成されているか、又は吸収性物品の長手方向に対して斜めの方向に向けて形成されていることを特徴とする吸収性物品。
【請求項７】
上記吸収部は、厚みが０．３〜５ｍｍの熱可塑性繊維を含有する吸収シートを含んでなることを特徴とする請求項６記載の吸収性物品。
【請求項８】
上記第２可撓軸は、吸収性物品の長手方向中央部において該吸収性物品の長手方向に沿って形成された１本の直線部と、該直線部の前端及び／又は後端から吸収性物品の幅方向外方に向けて分岐して延設された分岐部とからなることを特徴とする請求項６記載の吸収性物品。
【請求項９】
上記第２可撓軸は、吸収性物品の長手方向に長い楕円形状であることを特徴とする請求項６記載の吸収性物品。
【請求項１０】
上記第２可撓軸は、対向する斜めの方向に向けて且つ吸収性物品の幅方向略中央で交差するように２本形成されており、略Ｘ線字状になされていることを特徴とする請求項６記載の吸収性物品。
【請求項１１】
上記立体溝の深さＤ1が０．３〜５mmであり、上記溝の深さＤ2が０．２〜２mmである請求項６記載の吸収性物品。
【請求項１２】
液透過性の肌当接面と、液不透過性の非肌当接面と、該肌当接面及び該非肌当接面の間に介在された吸収部とを備え、実質的に縦長に形成されてなる吸収性物品において、
肌当接面側に形成された第１立体溝からなる第１可撓軸と、非肌当接面側に形成された第２立体溝からなる第２可撓軸とを有し、
上記第２可撓軸は、対向する斜めの方向に向けて且つ吸収性物品の幅方向略中央で交差するように２本形成されており、略Ｘ線字状になされていることを特徴とする吸収性物品。
【発明の詳細な説明】
【０００１】
【発明の属する技術分野】
本発明は、生理用ナプキンや失禁パッド等の吸収性物品に関し、更に詳細には、防漏性に優れた吸収性物品に関する。
【０００２】
【従来の技術及び発明が解決しようとする課題】
生理用ナプキン、失禁用パッド、パンティーライナー、紙オムツ等、人間の股間に装着され体液を吸収する吸収性物品は、従来より種々提案されて用いられている。このような吸収性物品の横幅は、人間の股間のサイズが、年齢、体型等、人により種々であるがだいたい２０〜３０ｍｍであるのに対し、その要求される吸収性値から最も幅の狭いパンティーライナーでも幅５０ｍｍ以上であり、生理用ナプキンが７０〜１００ｍｍである等、股間のサイズの２〜３倍の幅を有している。
【０００３】
これらの従来の吸収性物品、即ち股間のサイズより幅広の吸収性物品は、股間に装着された時、種々の形態となる。
即ち、従来の吸収性物品は、製品の幅方向に対して平面的になされており、幅方向で剛性が均一な事から、股間に装着された時に種々の装着形態をとる。このため、その装着形態によっては、排泄部と吸収性物品端部との間の距離が減少し、横モレし易くなるという問題があった。また、吸収体をフラップパルプ等で形成した時、該フラップパルプは液を吸収すると回復力がなくなり、装着状態のまま、更にはヨレた形状のままとなってしまい、より横モレし易くなってしまうという問題があった。また、装着形態によっては、フィット性が悪くなったり、また違和感／異物感を生じ使用者において快適な使用感が得られないという問題もあった。
【０００４】
そこで、装着形態によるヨレを防止すべく、ポリウレタン等の発泡体や、ポリエチレン、ポリプロピレン、ポリエステル等の熱可塑性繊維からなる不織布を用いて形成した吸収体を具備した吸収性物品が提案されている。このような吸収性物品は、確かに弾性回復性を有する吸収体を具備するので非常にヨレ難いものであるが、この吸収性物品も幅方向で均一な構造をとっているがゆえに、股間に装着された時種々の装着形状をとり、その結果、身体とのフィット性が悪くなったり、その装着形態によっては、逆に身体に圧迫感を感じさせ、違和感となる等、上述の問題が未だ十分に解決されていなかった。
【０００５】
また、実公平５−３９６９１号公報においては、肌当接面側及び非肌当接面側の両面側に溝が設けられた生理用ナプキンが提案されているが、この提案においては、構成部材に何ら工夫がなく、単に溝を設けただけのものであったため、所定の理想的な装着状態をとれず、使用感の優れないものであった。
【０００６】
従って、本発明の目的は、股間に装着されたときに、フィット性に優れた所定の形状となり、よれにくく、フィット性に優れ、使用感が良く、漏れ防止性に優れた吸収性物品を提供することにある。
【０００７】
【課題を解決するための手段】
本発明者等は、上記課題を解消するために鋭意検討した結果、特定の吸収体を有し、且つ肌当接面側及び非肌当接面側のそれぞれに曲り易くする２種の可撓軸を設けてなる、吸収性物品が上記目的を達成しうることを知見した（第１の知見）。
【０００８】
本発明は、上記の第１の知見に基づきなされたもので、液透過性の肌当接面と、液不透過性の非肌当接面と、該肌当接面及び該非肌当接面の間に介在された吸収部とを備え、実質的に縦長に形成されてなる吸収性物品において、
吸収性物品の長手方向側方より応力を加えた際に、該吸収性物品をその幅方向において肌当接面側に屈曲させる第１可撓軸と、該吸収性物品をその幅方向において非肌当接面側に屈曲させる第２可撓軸とを有し、
上記第１可撓軸は、肌当接面側から溝加工されて形成された立体溝からなり、上記第２可撓軸は、非肌当接面側から溝加工されて形成された立体溝からなり、
上記第１可撓軸及び上記第２可撓軸には、溝加工が施される面の反対側にも溝が形成されており、上記立体溝の深さＤ1が上記溝の深さＤ2の１．５倍以上であり、
上記吸収部は、厚みが０．３〜５mmの熱可塑性繊維を含有する吸収シートを含んでなる、ことを特徴とする吸収性物品（以下、「第１発明」という場合にはこの発明を指す）を提供するものである。
【０００９】
また、本発明は、上記第１可撓軸と上記第２可撓軸とを、それぞれ２本以上有する上記吸収性物品（上記第１発明としての吸収性物品）を提供するものである。
また、本発明は、上記立体溝の深さＤ1が０．３〜５mmであり、上記溝の深さＤ2が０．２〜２mmである上記吸収性物品、及び上記立体溝が、非連続に且つ複数形成されている該吸収性物品（上記第１発明としての吸収性物品）を提供するものである。
また、本発明は、上記第１及び第２可撓軸が、２本づつ設けられており、２本の該第１可撓軸が、何れも、２本の第２可撓軸よりも外方に設けられている上記吸収性物品（上記第１発明としての吸収性物品）を提供するものである。
【００１０】
また、本発明者等は、上記課題を解消するために鋭意検討した結果、肌当接面側及び非肌当接面側のそれぞれに曲り易くする２種の可撓軸を設けてなり、非肌当接面側に設けられた可撓軸を特定の形状としてなる、吸収性物品が上記目的を達成しうることを知見した（第２の知見）。
【００１１】
本発明は、上記の第２の知見に基づきなされたもので、液透過性の肌当接面と、液不透過性の非肌当接面と、該肌当接面及び該非肌当接面の間に介在された吸収部とを備え、実質的に縦長に形成されてなる吸収性物品において、
肌当接面側に形成された第１立体溝からなる第１可撓軸と、非肌当接面側に形成された第２立体溝からなる第２可撓軸とを有し、
上記第１可撓軸及び上記第２可撓軸には、溝加工が施される面の反対側にも溝が形成されており、上記立体溝の深さＤ1が上記溝の深さＤ2の１．５倍以上であり、
上記第２可撓軸は、吸収性物品の長手方向及び幅方向に向けて形成されているか、又は吸収性物品の長手方向に対して斜めの方向に向けて形成されていることを特徴とする吸収性物品（以下、「第２発明という場合にはこの発明を指す）を提供するものである。
【００１２】
また、本発明は、上記吸収部は、厚みが０．３〜５ｍｍの熱可塑性繊維を含有する吸収シートを含んでなる上記吸収性物品（上記第２発明としての吸収性物品）を提供するものである。
また、本発明は、上記第２可撓軸は、吸収性物品の長手方向中央部において該吸収性物品の長手方向に沿って形成された１本の直線部と、該直線部の前端及び／又は後端から吸収性物品の幅方向外方に向けて分岐して延設された分岐部とからなる上記吸収性物品（上記第２発明としての吸収性物品）を提供するものである。
また、本発明は、上記第２可撓軸は、吸収性物品の長手方向に長い楕円形状である上記吸収性物品（上記第２発明としての吸収性物品）を提供するものである。
また、本発明は、上記第２可撓軸は、対向する斜めの方向に向けて且つ吸収性物品の幅方向略中央で交差するように２本形成されており、略Ｘ線字状になされている上記吸収性物品（上記第２発明としての吸収性物品）を提供するものである。
また、本発明は、上記立体溝の深さＤ1が０．３〜５mmであり、上記溝の深さＤ2が０．２〜２mmである上記吸収性物品（上記第２発明としての吸収性物品）を提供するものである。
更に本発明は、液透過性の肌当接面と、液不透過性の非肌当接面と、該肌当接面及び該非肌当接面の間に介在された吸収部とを備え、実質的に縦長に形成されてなる吸収性物品において、
肌当接面側に形成された第１立体溝からなる第１可撓軸と、非肌当接面側に形成された第２立体溝からなる第２可撓軸とを有し、
上記第２可撓軸は、対向する斜めの方向に向けて且つ吸収性物品の幅方向略中央で交差するように２本形成されており、略Ｘ線字状になされていることを特徴とする吸収性物品を提供するものである。
【００１３】
【発明の実施の形態】
以下、図面を参照して本発明を更に詳細に説明する。
先ず、上記の第１発明について図１〜図６を参照して説明する。
ここで、図１は、本発明の吸収性物品の第１の形態としての生理用ナプキンを肌当接面側から示す斜視図であり、図２は、図１に示す生理用ナプキンを非肌当接面側から示す斜視図であり、図３は、図１のIII-III 断面図であり、図４は、図３のIV部拡大図である。また、図５は、図１に示す生理用ナプキンの幅方向断面を示す模式図であり、図６は、その装着状態を示す模式図である。
【００１４】
図１〜図３に示す本形態の吸収性物品としての生理用ナプキン１は、液透過性の肌当接面２と、液不透過性の非肌当接面３と、該肌当接面２及び該非肌当接面３の間に介在された吸収部４とを備え、実質的に縦長に形成されてなる。
【００１５】
更に詳述すると、上記肌当接面２は液体透過性の表面シート２０により形成されており、上記非肌当接面３は液体不透過性の裏面シート３０により形成されている。また、上記表面シート２０は、図３に示すように、上記吸収部４の表面及び長手方向左右両側縁を覆って配されており、上記裏面シート３０は、上記吸収部４の裏面を覆って設けられており、吸収性物品の長手方向左右両側縁において、表面シート２０の上面に位置している。
また、上記裏面シート３０の表面には、通常、粘着剤が塗布されてズレ止め部が形成されてる（図示せず）。
ここで、上記表面シート２０及び上記裏面シート３０の形成材料としては、通常公知の材料を特に制限なく用いることができる。
【００１６】
而して、本形態の生理用ナプキンは、図１〜図３に示すように、生理用ナプキンの長手方向側方より応力を加えた際に、該生理用ナプキンをその幅方向において肌当接面２側に屈曲させる第１可撓軸５と、生理用ナプキンをその幅方向において非肌当接面３側に屈曲させる第２可撓軸６とを有し、上記吸収部４は、厚みが０．３〜５mm、好ましくは０．３〜３mmの熱可塑性繊維を含有する吸収シート４０を含んでなる。
上記吸収シート４０の厚みが０．３mm未満であると、シート自体の剛性がなさすぎて、生理用ナプキン（吸収性物品）が装着時に良好にフィットする好ましい形態を維持することができず、また、５mmを超えると、シート剛性が高くなりすぎたり吸収性物品の厚みが厚くなりすぎたりして、装着時における違和感となる。
【００１７】
更に詳述すると、図１〜３に示すように、本形態の生理用ナプキン１は、上記第１可撓軸５及び第２可撓軸６とを、それぞれ２本有している。即ち、図１に示すように、上記第１可撓軸５は、肌当接面２側から溝加工されて肌当接面２側に形成された立体溝５０からなり、上記肌当接面２側において左右両側縁側に１本づつ、計２本設けられている。また、図２に示すように、上記第２可撓軸６は、非肌当接面３側から溝加工されて非肌当接面３側に形成された立体溝６０からなり、上記非肌当接面３側の略中央部において左右両側縁側に１本づつ、計２本設けられている。
また、上記第１及び第２可撓軸５，６は、何れも生理用ナプキン１の内方に向けて弓状に湾曲している。そして、上記第１及び第２可撓軸５，６は、何れもその長手方向中央部が幅太であり、長手方向両端に向かうに従って幅細になされている。
【００１８】
また、図１〜３に示すように、２本の上記第１可撓軸５は、何れも２本の上記第２可撓軸６よりも外方（即ち、生理用ナプキンの長手方向左右両側縁側）に設けられている。
要するに、本形態の生理用ナプキンは、上記第１可撓軸５が、肌当接面２側に形成された立体溝５０からなり、上記第２可撓軸６が、非肌当接面３側に形成された立体溝６０からなり、該第１及び第２可撓軸５、６が、２本づつ設けられており、２本の該第１可撓軸５が、何れも、２本の第２可撓軸６よりも外方に設けられている。
【００１９】
上記第１可撓軸５及び上記第２可撓軸６を形成している上記立体溝５０、６０は、何れも非連続で且つ複数形成されている。即ち、上記第１可撓軸５及び上記第２可撓軸６は、何れも、複数の立体溝５０、６０を、所定の形状の可撓軸が形成されるように、所定位置に形成することにより、設けられている。
【００２０】
また、図３に示すように、上記第１可撓軸５を設ける位置は、その長手方向中央部（最も生理用ナプキンの内方に位置する部分）における生理用ナプキン両端部からの距離Ｌ1 が１０〜４０mmとなる位置とするのが好ましい。また、上記第１可撓軸５と上記第２可撓軸６との間の距離Ｌ2 は、両者の長手方向中央部（両者ともに最も生理用ナプキン１の内方に位置する部分）間の距離で５〜４０mmとするのが好ましい。
また、上記第１可撓軸５及び第２可撓軸６は、その溝パターンとして吸収性物品の長手方向において、直線でも曲線でもかまわないが、より股間にフィットさせ理想的な形態をとるためには、本形態の如く、互いに長手方向の中央部が幅狭になる様に湾曲させるものが好ましい。
ここで、上記第１可撓軸の湾曲は、曲率半径ｒ1 として５０〜２５０mmとするのが好ましく、上記第２可撓軸の湾曲も、曲率半径ｒ2 として５０〜２５０mmとするのが好ましい。
このような位置に、このような湾曲率の上記第１及び第２可撓軸５、６を形成することにより、より理想的な装着形態をとることができ、フィット性をより向上させることができる。
【００２１】
本発明の吸収性物品における上記第１可撓軸及び第２可撓軸は、連続した立体溝で形成しても、また長手方向において分割された非連続複数の立体溝で形成してもよく、立体溝の形状等は特に限定されない。しかし、この様な生理用ナプキン等の吸収性物品は、使用時に、その長手方向においても身体の形状に沿って湾曲するものであるため、図１及び図２に示す本形態の生理用ナプキンのように、立体溝５０、６０を非連続に分割して形成してなるものが、生理用ナプキンの長手方向においても複数の可撓軸を与えることができ、フィット性が向上するのでより好ましい。
【００２２】
好ましい溝の一例として示される本形態の生理用ナプキンにおける上記立体溝５０、６０は、図１及び２に示すように、それぞれ菱形状の形状を有しており、弓状に湾曲した上記第１及び第２可撓軸５、６が形成されるように所定間隔を開けて、複数個非連続に形成されている。尚、本形態においては、上記第１及び第２可撓軸５、６の所望の形状に沿って溝加工を施して、複数の上記立体溝５０、６０を形成しているため、第１及び第２可撓軸５０、６０全体が肌当接面２又は非肌当接面３よりも窪んでおり、このため、図１及び２において各立体溝５０、６０が連結されているように図示している。
また、上記立体溝５０、６０は、第１及び第２可撓軸５、６の形状（幅の太さ）に合わせて、第１及び第２可撓軸５、６の長手方向中央部においては大きく、また長手方向両端に向かうに従って小さくなるように、形成されている。
尚、上記立体溝の大きさは、１〜１００mm2 とするのが好ましく、各立体溝の間隔は、０．５〜５mmとするのが好ましい。
【００２３】
また、上記吸収部４は、少なくとも上記吸収性シート４０を含んでなる。
用いられる吸収性シート４０の厚みは、上述の通りであり、また、該吸収シート４０は、熱可塑性繊維を含む。
そして、該熱可塑性繊維は、吸収シート４０中において相互に結合しているのが、液を吸収した際に熱可塑性繊維が吸収シートの形状を安定に保ち、生理用ナプキンの好ましい装着形態を維持し、また圧力が開放された時にもとの状態に回復し、ヨレずに吸収性物品を安定に保つため、好ましい。
【００２４】
上記熱可塑性繊維としては、加熱する事により互いに繊維どうしが接着するものであれば特に制限されないが、具体的には、ポリエチレン、ポリプロピレン、ポリエステル繊維やポリエチレン−ポリエステル複合繊維、ポリプロピレン−ポリエステル複合繊維等が好ましく使用される。また、熱水に溶解し乾燥させることにより互いに繊維が結合するポリビニルアルコール繊維等も好ましく使用することができる。上記熱可塑性繊維は、繊維の長さ方向に対し、通常の直線状の繊維でも良いが、上記吸収シートの柔軟性をより高めるため、上記熱可塑性繊維として、ジグザク形状やクリンプ捲縮形状を有するものを用いても良い。
また、上記吸収シートは、上記熱可塑性繊維のみにより形成されたものでもよいが、フラップパルプ、レーヨンなどの親水性繊維、公知の高吸水性ポリマー等を混合するのが好ましい。これらを混合して用いる際の上記熱可塑性繊維の配合量は、吸収シート全体に対して、１〜３０重量％とするのが好ましい。
【００２５】
上記吸収シートは、下記のようにして製造することができる。
即ち、乾式法及び湿式法等の方法により、熱可塑性繊維を混合し、結合させることにより製造できる。具体的には、例えば、フラップパルプと熱可塑性繊維とを空気中で積繊混合し、熱風で熱可塑性繊維を溶解させて結合させる方法、及び熱可塑性繊維と親水性繊維とを混合しカード法により不織布ウェブを形成した後、熱風により熱可塑性繊維を結合させる方法等の乾式法、並びにフラップパルプや親水性繊維と熱可塑性繊維とを水中で分散／混合して抄紙し、次いでヤンキードライヤー等で加熱して熱可塑性繊維を結合させる湿式抄紙法等を行うことにより、上記吸収シートを製造することができる。
また、必要に応じて高吸収性ポリマーを用いる場合には、上述したそれぞれの方法において、高吸収性ポリマーをシート中に分散固定してポリマーシート化したり、上記方法で得られたシートを２枚以上用い、各シート間に、高吸収性ポリマー等をホットメルト等の接着剤で固定し、ポリマーシート化する等して、高吸収性ポリマーを含む上記吸収シートを得ることができる。
【００２６】
また、上記吸収シート４０は、それのみにより上記吸収部４を構成してもよいが、通常吸収性物品に用いられる、他の吸収シートや高吸収性ポリマーや他の吸収部材と併用して用いることもできる。尚、他の吸収シート等を併用して用いる場合、上記吸収部４の厚みは、１〜１０mmとするのが好ましい。
【００２７】
また、図４に示すように、溝加工が施される面の反対側の面にも溝５１（以下、単に「溝」という場合にはこの溝を指す）が形成されている。この場合上記立体溝５０の深さＤ1は、０．３〜５mmであるのが好ましく、また、上記溝５１の深さＤ2は、０．２〜２mmであるのが好ましい。また、生理用ナプキンの側方からの応力がかかった時の屈曲する方向を安定させるために、上記立体溝５０の深さＤ1を上記溝５１の深さＤ2の１．５倍以上とする。
【００２８】
本形態の生理用ナプキン１は、通常の生理用ナプキンと同様にして使用することができる。そして、本形態の生理用ナプキン１は、上記の特定の吸収部４を有し、且つ上記第１可撓軸及び第２可撓軸５、６を有しているので、所定の理想的な装着形態で生理用ナプキンの装着ができる。
即ち、図５及び図６に示すように、生理用ナプキン１の使用時においては、生理用ナプキン１の長手方向側方より応力が加わるため、該生理用ナプキン１が上記第１可撓軸５により幅方向において肌当接面側に屈曲され、上記第２可撓軸６により幅方向において非肌当接面３側に屈曲される。これにより、図６に示すように、中央部及び両側縁部が隆起した形状、即ち装着形状として理想的な形状となる。更に、この形状は、上記第１及び第２可撓軸５、６により形成されているため、装着状態に左右されず、この形状が良好に維持される。
従って、本形態の生理用ナプキンは、装着中に装着形態が種々の形状に変化してヨレたりすることがなく、横方向から体液が漏れることが抑制される。また、上述の構成において上記の吸収シートを有しているため、使用感に優れ、使用者に不快感を与えることがない。
また、上記立体溝５０、６０、特に非連続で複数の上記立体溝５０、６０により上記第１及び第２可撓軸５、６が形成されているので、幅方向のみならず、長手方向においても、屈曲しやすい可撓軸を与え、長手方向も身体に屈曲しやすく、前部や後部側がオシリによりフィットし後モレ、前モレを防止可能である。
【００２９】
上記の本形態の生理用ナプキン１は、通常公知の方法で溝のない生理用ナプキンを製造した後、エンボスロール等により、生理用ナプキンの長手方向に沿って生理用ナプキンを圧縮（必要により加熱圧縮）して上記立体溝を形成することにより上記第１及び第２可撓軸を形成する等して容易に製造することができる。
【００３０】
次いで、本発明の吸収性物品の他の形態について、図７〜図１２を参照して説明する。
ここで、図７は、本発明の吸収性物品としての生理用ナプキンの第２の形態を模式的に示す幅方向断面図（図５相当図）であり、図８は、その装着時の状態を模式的に示す幅方向断面図（図６相当図）である。また、図９は、本発明の吸収性物品としての生理用ナプキンの第３の形態を模式的に示す幅方向断面図（図５相当図）であり、図１０は、その装着時の状態を模式的に示す幅方向断面図（図６相当図）である。更に、図１１は、本発明の吸収性物品としての生理用ナプキンの第４の形態を模式的に示す幅方向断面図（図５相当図）であり、図１２は、その装着時の状態を模式的に示す幅方向断面図（図６相当図）である。
尚、ここでは、特に第１の形態の生理用ナプキンと相違する点について説明する。特に説明しない点については第１の形態の生理用ナプキンについてした説明が適宜適用される。
【００３１】
図７に示す第２の形態の生理用ナプキン１は、肌当接面２側に２本の第１可撓軸５が設けられており、非肌当接面３側に２本の第２可撓軸６が設けられている。また、第１可撓軸５は、第２可撓軸６よりも生理用ナプキン１の内方に設けられている。尚、上記第２可撓軸６と側縁との距離、及び第２可撓軸６と第１可撓軸５との距離などは、上記の第１の形態における第１可撓軸と側縁との距離、及び第１可撓軸と第２可撓軸との距離と同様である。
そして、上記生理用ナプキン１は、図８に示すように、生理用ナプキン１の使用時において、生理用ナプキン１の長手方向側方より応力が加わるため、該生理用ナプキン１が上記第１可撓軸５により幅方向において肌当接面２側に屈曲され、上記第２可撓軸６により幅方向において非肌当接面３側に屈曲される。これにより、図８に示すように、中央部が皿状に窪んだ状態となる。
【００３２】
図９に示す第３の形態の生理用ナプキン１は、肌当接面２側に３本の第１可撓軸５が設けられており、非肌当接面３側に２本の第２可撓軸６が設けられている。また、第１可撓軸５のうち中央に位置する可撓軸は、２本の第２可撓軸６，６のほぼ中間に位置するように設けられている。この点以外の可撓軸の位置関係などは上述した第１の形態と同様である。
そして、上記生理用ナプキン１は、図１０に示すように、生理用ナプキン１の使用時において、生理用ナプキン１の長手方向側方より応力が加わるため、該生理用ナプキン１が上記第１可撓軸５により幅方向において肌当接面２側に屈曲され、上記第２可撓軸６により幅方向において非肌当接面３側に屈曲される。これにより、図１０に示すように、左右両側縁が肌当接面２側に隆起した状態で且つ波状の状態となる。
【００３３】
図１１に示す第４の形態の生理用ナプキン１は、肌当接面２側に２本の第１可撓軸５が設けられており、非肌当接面３側に３本の第２可撓軸６が設けられている。また、第２可撓軸６のうち中央に位置する可撓軸は、２本の第１可撓軸５，５のほぼ中間に位置するように設けられている。この点以外の可撓軸の位置関係などは上述した第２の形態と同様である。
そして、上記生理用ナプキン１は、図１２に示すように、生理用ナプキン１の使用時において、生理用ナプキン１の長手方向側方より応力が加わるため、該生理用ナプキン１が上記第１可撓軸５により幅方向において肌当接面２側に屈曲され、上記第２可撓軸６により幅方向において非肌当接面３側に屈曲される。これにより、図１２に示すように、左右両側縁が非肌当接面３側に向いた状態で且つ波状の状態となる。
【００３４】
尚、本発明の吸収性物品は、上述の形態には何ら制限されず、本発明の趣旨を逸脱しない範囲で種々変更が可能である。
例えば、図１３及び１４に示すように、後方部Ｂ（使用時において着用者の後方に位置する部分）が長くなされたいわゆる長時間用や夜用タイプの生理用ナプキン１に適用することもできる。この場合には図１３及び１４に示すように、上記第１可撓軸５及び上記第２可撓軸６は、前方部Ａ（使用時に着用者の前方に位置する部分）にのみ設ければよい（即ち、排泄部に当接する部分に設けられていればよい）。
また、上記の第１及び第２可撓軸は、それぞれ２本以上設けた例を例示して説明したが、それぞれ１本づつとしてもよい。具体的には、上記第１可撓軸を吸収性物品の左右両側縁側に２本設け、また、上記第２可撓軸を両第１可撓軸間の略中央部に１本設けてもよい。
【００３５】
次に、第２発明について、図１５〜１９を参照して説明する。尚、以下の説明においては、特に上記第１発明と異なる点について説明する。特に詳述しない点については上記第１発明においてした説明が適宜適用される。また、図１５〜１９においては、第２発明の特徴部分の理解が容易になるように、その要部のみを図示する。
ここで、図１５は、本発明（第２発明）の吸収性物品としての生理用ナプキンの第１の形態の要部を示す平面図であり、図１６は、本発明（第２発明）の吸収性物品としての生理用ナプキンの第２の形態の要部を示す平面図であり、図１７は、本発明（第２発明）の吸収性物品としての生理用ナプキンの第３の形態の要部を示す平面図であり、図１８は、本発明（第２発明）の吸収性物品としての生理用ナプキンの第４の形態の要部を示す平面図であり、図１９は、本発明（第２発明）の吸収性物品としての生理用ナプキンの第５の形態の要部を示す平面図である。
【００３６】
図１５に示す本形態（第２発明の第１の形態）の生理用ナプキン１０１は、液透過性の肌当接面１０２と、液不透過性の非肌当接面（図示せず）と、該肌当接面２及び該非肌当接面の間に介在された吸収部（図示せず）とを備え、実質的に縦長に形成されてなる。
本形態の生理用ナプキンにおけるこのような構成は、図１〜６に示す第１発明の第１形態の生理用ナプキンと同様であり、用いる形成材料も同様のものである。例えば、肌当接面１０２は上記表面シートにより形成されており、非肌当接面は上記表面シートにより形成されている。
【００３７】
而して、図１５に示す生理用ナプキン１０１は、肌当接面１０２側に形成された第１立体溝からなる第１可撓軸１０５と、非肌当接面側に形成された第２立体溝からなる第２可撓軸１０６とを有し、上記第２可撓軸１０６は、生理用ナプキン１０１の長手方向及び幅方向に向けて形成されている。
ここで、「長手方向及び幅方向に向けて形成されている」とは、上記第２可撓軸が、生理用ナプキンの長手方向に向けて形成された部分と幅方向に向けて形成された部分とを有していることを意味する。
【００３８】
更に詳述すると、上記第２可撓軸１０６は、生理用ナプキン１０１の長手方向中央部において該生理用ナプキンの長手方向に沿って形成された１本の直線部１６１と、該直線部１６１の前端及び後端から生理用ナプキンの幅方向（左右両方向）に向けて分岐して延設された分岐部１６２とからなる。即ち、本形態の生理用ナプキン１０１においては、上記直線部１６１が長手方向に向けて形成された部分であり、上記分岐部１６２が幅方向に向けて形成された部分である。
尚、図１５においては本形態の特徴をより明瞭に説明するために上記第１及び第２可撓軸を線状に記載しているが、上記第１可撓軸１０５及び上記第２可撓軸１０６を形成する上記第１立体溝及び上記第２立体溝は、上記第１発明の第１形態の説明において詳述した上記立体溝と同様にして形成されるものである。具体的には、本形態においても、上記第１発明の第１形態の立体溝と同様に、菱形状の形状としたり、複数個非連続に設けることができる。
【００３９】
また、本形態において、上記吸収部は、厚みが好ましくは０．３〜５ｍｍ、更に好ましくは０．３〜３mmの熱可塑性繊維を含有する吸収シートを含んでなる。即ち、上記吸収部は、上述の第１発明の第１の形態と同じ吸収シートにより、または該吸収シートと他のシートとを組み合わせて形成されているのが好ましい。また、この組み合わせて形成した場合の吸収部の厚みは上述の第１発明の第１形態と同様である。
上記吸収シートの厚みが０．３mm未満であると、シート自体の剛性がなさすぎて、生理用ナプキン（吸収性物品）が装着時に良好にフィットする好ましい形態を維持することができず、また、５mmを超えると、シート剛性が高くなりすぎたり吸収性物品の厚みが厚くなりすぎたりして、装着時における違和感となるので、好ましくない。
このように上記吸収部を、上記吸収シートを含んでなるものとすることにより、装着時におけるフィット性及びフィット性が良好な形態の保持性がより向上する。
【００４０】
本形態の生理用ナプキンは、装着時により股間にフィットしやすい山型の隆起を形成してフィット性が向上する共に、過度のヨレを効果的に抑制することができる。
即ち、幅方向に延びる分岐部１６２が、ナプキンの幅方向にかかる力を受け止めて直線部１６１を稜線にする山型の凸形状を形成する。また、分岐部１６２がこのような方向性をもって設けられているので、ナプキンが幅方向にランダムに縮む、即ちヨレることに対して抵抗するため、ナプキン全体の過度のヨレを効果的に防ぐことができる。
【００４１】
以下に、図１６〜１９を参照して第２〜５の形態について説明するが、これらの形態の生理用ナプキンも第１の形態の生理用ナプキンと同様に、肌当接面は上記表面シートにより形成されており、非肌当接面は上記表面シートにより形成されている。このため、特に図１５に示す上記第１形態の生理用ナプキンと異なる点について説明する。
【００４２】
図１６に示す第２の形態の生理用ナプキン２０１は、半円形状の２つの第２可撓軸２０６、２０６’が、生理用ナプキンの前方側及び後方側に形成されている。ここで、「前方」とは、生理用ナプキンの製造時に流れ方向前方に位置する部分を指し、「後方」とは生理用ナプキンの製造時に流れ方向後方に位置する部分を指す。そして、それぞれの第２可撓軸１０６は、それぞれの頂部２６２が互いに向き合うように形成されている。
本形態における上記第２可撓軸２０６においては、側方部２６１が長手方向に向けて形成された部分であり、頂部２６２が幅方向に向けて形成された部分である。
【００４３】
図１７に示す第３の形態の生理用ナプキン３０１は、第２可撓軸３０６が、生理用ナプキン３０１の長手方向に長い楕円形状となされている。
本形態における上記第２可撓軸３０６は、側方部３６１が長手方向に向けて形成された部分であり、頂部３６２が幅方向に向けて形成された部分である。
【００４４】
図１８に示す第４の形態の生理用ナプキン４０１は、第２可撓軸４０６が、生理用ナプキン４０１の長手方向に対して斜めの方向に形成されている。
更に詳述すると、上記第２可撓軸４０６は、それぞれが対向する斜めの方向に向けて形成された２本発の可撓軸４６１、４６２からなり、且つそれぞれ４６１、４６２は、生理用ナプキン４０１の幅方向略中央で交差しており、略Ｘ線字状になされている。
【００４５】
図１９に示す第５の形態の生理用ナプキン５０１は、上記第１可撓軸５０５が、生理用ナプキンの前方及び後方に設けられいる。また、第２可撓軸５０６が、それぞれが対向する斜めの方向に向けて形成された２本の可撓軸５６１、５６２からなり、且つそれぞれ５６１、５６２は、生理用ナプキンの幅方向略中央で交差しており、略Ｘ線字状になされている。そして、第２可撓軸５０６は、第１可撓軸５０５、５０５間に位置するように設けられている。
【００４６】
上述の第２〜５の形態の生理用ナプキンにおいても、上述した第１の形態の生理用ナプキンと同様の効果を奏する。即ち、これらも、フィット性及びヨレ防止性に優れるものである。
【００４７】
また、本発明（第２発明）の吸収性物品も上述の形態に制限されるものではなく、本発明の趣旨を逸脱しない範囲で種々変形が可能である。
【００４８】
【発明の効果】
本発明の吸収性物品は、股間に装着されたときに、フィット性に優れた所定の形状となり、よれにくく、フィット性に優れ、使用感が良く、漏れ防止性に優れたものである。
【図面の簡単な説明】
【図１】図１は、本発明の吸収性物品としての生理用ナプキンの一形態を肌当接面側から示す斜視図である。
【図２】図２は、図１に示す生理用ナプキンを非肌当接面側から示す斜視図である。
【図３】図３は、図１のIII-III 断面図である。
【図４】図４は、図３のIV部拡大図である。
【図５】図５は、図１に示す生理用ナプキンの幅方向断面を示す模式図である。
【図６】図６は、その装着状態を示す模式図である。
【図７】図７は、本発明の吸収性物品としての生理用ナプキンの第２の形態を模式的に示す幅方向断面図（図５相当図）である。
【図８】図８は、その装着時の状態を模式的に示す幅方向断面図（図６相当図）である。
【図９】図９は、本発明の吸収性物品としての生理用ナプキンの第３の形態を模式的に示す幅方向断面図（図５相当図）である。
【図１０】図１０は、その装着時の状態を模式的に示す幅方向断面図（図６相当図）である。
【図１１】図１１は、本発明の吸収性物品としての生理用ナプキンの第４の形態を模式的に示す幅方向断面図（図５相当図）である。
【図１２】図１２は、その装着時の状態を模式的に示す幅方向断面図（図６相当図）である。
【図１３】図１３は、本発明の吸収性物品としての生理用ナプキンの他の形態を示す斜視図である。
【図１４】図１４は、図１３に示す生理用ナプキンの非肌当接面側を示す斜視図である。
【図１５】図１５は、本発明（第２発明）の吸収性物品としての生理用ナプキンの第１の形態の要部を示す平面図である。
【図１６】図１６は、本発明（第２発明）の吸収性物品としての生理用ナプキンの第２の形態の要部を示す平面図である。
【図１７】図１７は、本発明（第２発明）の吸収性物品としての生理用ナプキンの第３の形態の要部を示す平面図である。
【図１８】図１８は、本発明（第２発明）の吸収性物品としての生理用ナプキンの第４の形態の要部を示す平面図である。
【図１９】図１９は、本発明（第２発明）の吸収性物品としての生理用ナプキンの第５の形態の要部を示す平面図である。
【符号の説明】
１  吸収性物品（生理用ナプキン）
２  肌当接面
３  非肌当接面
４  吸収部
５  第１可撓軸
６  第２可撓軸
５０  立体溝
６０  立体溝
【図１】
0003640475.tif 000002
【図２】
0003640475.tif 000003
【図３】
0003640475.tif 000004
【図４】
0003640475.tif 000005
【図５】
0003640475.tif 000006
【図６】
0003640475.tif 000007
【図７】
0003640475.tif 000008
【図８】
0003640475.tif 000009
【図９】
0003640475.tif 000010
【図１０】
0003640475.tif 000011
【図１１】
0003640475.tif 000012
【図１２】
0003640475.tif 000013
【図１３】
0003640475.tif 000014
【図１４】
0003640475.tif 000015
【図１５】
0003640475.tif 000016
【図１６】
0003640475.tif 000017
【図１７】
0003640475.tif 000018
【図１８】
0003640475.tif 000019
【図１９】
0003640475.tif 000020